(57)【要約】  イヤホンカバー５０及び該イヤホンカバーを有するイヤホン１であって、イヤホンカバー５０は、前記イヤホンカバー５０を前記イヤホン１に套設するための套設部５１及び固定部５２を含み、前記固定部５２が前記套設部５１を取り囲んで設置され、前記套設部５１が前記固定部５２を通り抜け、前記固定部５２は第１端部５２１及び前記第１端部５２１に正対する第２端部５２２を含み、前記イヤホンカバーが耳１００内に置かれるとき、前記第１端部５２１及び第２端部５２２が耳骨１１０に接触して少なくとも３つの係止点２００を形成することを特徴とする。このように、イヤホン１が耳内に固定されるとき、イヤホンカバー５０と耳骨１１０とが３つの固定点を形成し、この３つの固定点によってイヤホン１を耳骨１１０内にしっかりと固定し、脱落しにくくすることができる。
2019522446.tif 000002
【特許請求の範囲】
【請求項１】
イヤホンカバー（５０）をイヤホン（１）に套設するための套設部（５１）及び固定部（５２）を含む、前記イヤホン（１）に套設されるためのイヤホンカバー（５０）であって、
前記固定部（５２）が前記套設部（５１）を取り囲んで設置され、前記套設部（５１）が前記固定部（５２）を通り抜け、前記固定部（５２）は第１端部（５２１）及び前記第１端部（５２１）に正対する第２端部（５２２）を含み、前記イヤホンカバーが耳（１００）内に置かれるとき、前記第１端部（５２１）及び第２端部（５２２）が耳骨（１１０）に接触して少なくとも３つの係止点（２００）を形成することを特徴とするイヤホンカバー。
【請求項２】
前記固定部（５２）が卵形を呈し、前記第１端部（５２１）の球面半径が第２端部（５２２）の球面半径より大きいことを特徴とする請求項１に記載のイヤホンカバー。
【請求項３】
前記第２端部（５２２）は耳輪脚に対応する上部及び耳甲介腔に対応する下部を含み、前記第２端部（５２２）が耳骨（１１０）の対珠（１１２）に係止されるとき、前記上部と前記耳輪脚とが少なくとも１つの係止点を形成し、前記下部と前記耳甲介腔とが少なくとも１つの係止点（２００）を形成することを特徴とする請求項１に記載のイヤホンカバー。
【請求項４】
前記第１端部（５２１）が耳骨（１１０）の耳珠（１１１）に係止されるとき、少なくとも１つの係止点（２００）を形成することを特徴とする請求項２に記載のイヤホンカバー。
【請求項５】
前記固定部（５２）に空洞（５２８）が設置され、前記套設部（５１）が前記空洞（５２８）に連通し、前記固定部が耳内に置かれるとき、前記固定部が変形して空洞内の気体を套設部から排出することを特徴とする請求項３に記載のイヤホンカバー。
【請求項６】
前記固定部（５２）は耳内に向かっている前側（５２３）及び前記前側（５２３）に正対する後側（５２４）を含み、前記套設部（５１）の前側（５２３）に位置する孔径を後側（５２４）に位置する孔径より大きくすることで前記イヤホンカバーを前記イヤホンに套設するとき、前記イヤホンカバーと前記イヤホンとの間に隙間（５２７）が形成されることを特徴とする請求項４に記載のイヤホンカバー。
【請求項７】
前記第１端部（５２１）又は／及び前記第２端部（５２２）に貫通孔（５２９）が開設され、第２端部（５２２）又は／及び第２端部（５２２）が耳骨（１１０）に係止されるとき、前記貫通孔（５２９）が変形して前記イヤホンカバーを伸縮させることを特徴とする請求項３に記載のイヤホンカバー。
【請求項８】
前記貫通孔（５２９）が三日月形を呈することを特徴とする請求項７に記載のイヤホンカバー。
【請求項９】
前記固定部（５２）がシリカゲルで製造されることを特徴とする請求項１〜８のいずれか１項に記載のイヤホンカバー。
【請求項１０】
イヤーキャップ、フロントハウジング、リアハウジング及びイヤホンカバーを備え、前記イヤーキャップが前記フロントハウジングの一端に套設され、前記フロントハウジングが前記リアハウジングに係合されることにより音室及びイヤホンの他の回路部品を収容するための筐体を形成し、前記イヤホンカバーがフロントハウジングに套設されるイヤホンであって、
前記イヤホンカバーが請求項１〜９のいずれか１項に記載のイヤホンカバーであることを特徴とするイヤホン。
【発明の詳細な説明】
【技術分野】
【０００１】
本発明は、イヤホン部品の分野に関し、特にイヤホンカバー及び該イヤホンカバーを有するイヤホンに関する。
【背景技術】
【０００２】
現在、多くの電子製品、例えば携帯電話、タブレットＰＣ等はいずれも音楽又はオーディオ機能を有するため、イヤホンを使用する必要があり、且つ、多くのイヤホンが有線イヤホンである。使用中、これらの有線イヤホンを耳に挿入する必要がある。ところが、人々がスポーツをするとき、イヤホンが耳から脱落しやすく、使用しにくい。
【０００３】
なお、耳甲介腔と頭骨との接触部位の軟骨の厚さが薄くて、脆いため、一般的なイヤホンを使用するとこの箇所を傷つけやすい。
【発明の概要】
【発明が解決しようとする課題】
【０００４】
以上に鑑みて、上記問題を解決するために、イヤホンカバー及び該イヤホンカバーを使用するイヤホンを提供する必要がある。
【課題を解決するための手段】
【０００５】
上記目的を実現するために、本発明は以下の技術案を提供する。
【０００６】
本発明は、イヤホンに套設するためのイヤホンカバーを提供し、前記イヤホンカバーを前記イヤホンに套設するための套設部及び固定部を含み、前記固定部が前記套設部を取り囲んで設置され、前記套設部が前記固定部を通り抜け、前記固定部は第１端部及び前記第１端部に正対する第２端部を含み、前記イヤホンカバーは耳内に置かれるとき、前記第１端部及び第２端部が耳骨に接触して少なくとも３つの係止点を形成する。
【０００７】
いくつかの実施例では、前記固定部が卵形を呈し、第１端部の球面半径が第２端部の球面半径より大きい。
【０００８】
いくつかの実施例では、前記第２端部は耳輪脚に対応する上部及び耳甲介腔に対応する下部を含み、前記第２端部が耳骨の対珠に係止されるとき、前記上部と前記耳輪脚とが少なくとも１つの係止点を形成し、前記下部と前記耳甲介腔とが少なくとも１つの係止点を形成する。
【０００９】
いくつかの実施例では、前記第１端部が耳骨の耳珠に係止されるとき、少なくとも１つの係止点を形成する。
【００１０】
いくつかの実施例では、前記固定部に空洞が設置され、前記套設部が前記空洞に連通し、前記固定部が耳内に置かれるとき、前記固定部が変形して空洞内の気体を套設部から排出する。
【００１１】
いくつかの実施例では、前記固定部は耳内に向かっている前側及び前記前側に正対する後側を含み、前記套設部の前側に位置する孔径を後側に位置する孔径より大きくすることで前記イヤホンカバーを前記イヤホンに套設するとき、前記イヤホンカバーと前記イヤホンとの間に隙間が形成される。
【００１２】
いくつかの実施例では、前記第１端部又は／及び前記第２端部に貫通孔が開設され、第２端部又は／及び第２端部が耳骨に係止されるとき、前記貫通孔が変形して前記イヤホンカバーを伸縮させる。
【００１３】
いくつかの実施例では、前記貫通孔が三日月形を呈する。
【００１４】
いくつかの実施例では、前記固定部がシリカゲルで製造される。
【００１５】
なお、上記目的を実現するために、本発明は更にイヤホンを提供する。前記イヤホンは、イヤーキャップ、フロントハウジング、リアハウジング及びイヤホンカバーを備え、前記イヤーキャップが前記フロントハウジングの一端に套設され、前記フロントハウジングが前記リアハウジングに係合されることにより音室及びイヤホンの他の回路部品を収容するための筐体を形成し、前記イヤホンカバーがフロントハウジングに套設され、前記イヤホンカバーが上記したいずれか１項に記載のイヤホンカバーである。
【００１６】
イヤーキャップ、フロントハウジング、リアハウジング及びイヤホンカバーでは、前記フロントハウジング内にスピーカーが含まれ、前記イヤーキャップが前記スピーカーに套設され、前記フロントハウジングが前記リアハウジングに係合され、且つイヤホンの他の回路部品を収容し及び音室を形成するための筐体が設置され、前記イヤホンカバーがフロントハウジングに套設されて前記イヤーキャップに隣接し、前記イヤホンカバーが上記したいずれか１項に記載のイヤホンカバーである。
【発明の効果】
【００１７】
本発明の有益な効果は、イヤホンカバーをイヤホンレシーバに套設した後、イヤホンカバー及びイヤホンレシーバが耳骨内に係止されることにより形成された３つの固定点を利用して、イヤホンレシーバを耳骨内にしっかりと係止することができ、それによりイヤホンレシーバを耳骨に締め付けて、脱落しにくくすることができる。
【図面の簡単な説明】
【００１８】
【図１】本発明の第１の具体的な実施形態によるイヤホンの模式図である。
【図２】図１に示すイヤホンの他の視角状態の模式図である。
【図３】図１に示すイヤホンカバーの第１状態の模式図である。
【図４】図１に示すイヤホンカバーの第２状態の模式図である。
【図５】本発明の第１の具体的な実施例によるイヤホンの使用状態の模式図である。
【図６】図５に示すイヤホンカバーが力を受ける模式図である。
【図７】図６の断面図である。
【図８】本発明の第２の具体的な実施形態によるイヤホンカバーの模式図である。
【図９】本発明の第３の具体的な実施形態によるイヤホンカバーの模式図である。
【図１０】本発明の第３の具体的な実施例によるイヤホンの使用状態の模式図である。
【発明を実施するための形態】
【００１９】
以下、図面を参照しながら本発明を更に説明する。
【００２０】
本発明の目的、技術案及び利点をより明確にするために、以下に図面を参照しながら実施例によって本発明を更に詳しく説明する。ここで説明される具体的な実施例は本発明を解釈するためのものであって、本発明を制限するためのものではないと理解すべきである。
【００２１】
なお、衝突しない限り、以下に説明される本発明の各実施形態に関わる技術的特徴を互いに組み合わせてもよい。
【００２２】
図１及び図２には本発明の第１の具体的な実施形態によるイヤホン１を示す。本実施形態では、該イヤホン１がカナルタイプイヤホンである。前記イヤホン１はイヤーキャップ１０、フロントハウジング２０、リアハウジング３０及びイヤホンカバー５０を備える。イヤーキャップ１０がフロントハウジング２０の一端に套設され、フロントハウジング２０がリアハウジング３０に係止されることにより音室及びイヤホンの他の回路部品を収容するための筐体を形成する。
【００２３】
図３及び図４は本実施例のイヤホンカバー５０の模式図である。前記イヤホンカバー５０は套設部５１及び固定部５２を含む。前記套設部５１は前記イヤホンカバー５０を前記フロントハウジング２０に套設することに用いられる。前記固定部５２が前記套設部５１を取り囲んで設置される。前記套設部５１が前記固定部５２を通り抜ける。前記固定部５２は第１端部５２１及び第１端部５２１に正対する第２端部５２２を含む。好ましくは、前記第１端部５２１の球面半径が第２端部５２２の球面半径より大きい。具体的に、固定部５２が卵形を呈する。前記套設部５１が前記第１端部５２１からの距離は第２端部５２２からの距離より短い。前記套設部５１は更に前側５２３及び前側５２３に正対する後側５２４を含む。前記前側５２３が前記イヤーキャップ１０に向かっており、つまり耳内に向かっており、前記後側５２４が前記リアハウジング３０に向かっている。本実施形態では、前記套設部５１の前側５２３に位置する孔径が套設部５１の後側５２４に位置する孔径より大きく、且つフロントハウジング２０の本体の最大直径より大きい。従って、前記イヤホンカバー５０が前記フロントハウジング２０に套設されるとき、前記イヤホンカバー５０とフロントハウジング２０との間に所定の隙間５２７が生じる（図６参照）。
【００２４】
図７に示すように、本実施形態では、前記固定部５２に中空の空洞５２８が設置される。前記空洞５２８は前記套設部５１に連通する。前記イヤホンカバー５０は軟質材質、例えば弾性シリカゲルで製造される。
【００２５】
図５は本実施例のイヤホン１の使用状態の模式図である。図６は本実施例のイヤホン１の使用状態の断面図である。該イヤホン１がユーザーの耳１００に塞がれるとき、イヤホンカバー５０が耳骨１１０に当接される。具体的に、イヤホンカバー５０の前側５２３が耳骨１１０に当接されることにより、前側５２３が力を受けると後側５２４へ押出されて変形するとともに、第１端部５２１及び第２端部５２２がいずれも耳骨１１０に係止される。具体的に、耳骨１１０は耳珠１１１及び対珠１１２を含み、第１端部５２１が耳珠１１１に当接され、第２端部５２２が対珠１１２に当接される。且つ、第２端部５２２と耳骨１１０とが少なくとも２つの係止点２００を形成できる。具体的に、第２端部５２２は耳輪脚に対応する上部及び耳甲介腔に対応する下部を含み、第２端部５２２が耳骨１１０に係止されるとき、前記上部と前記耳輪脚とが少なくとも１つの係止点２２０を形成し、下部と耳甲介腔とが少なくとも１つの係止点２００を形成する。同時に、第１端部５２１も耳骨１１０に係止されることにより、少なくとも１つの係止点２００を形成し、つまり、第１端部５２１が耳珠の箇所で係止点２００を形成する。イヤホンカバー５０の頂部５２５及び底部５２６がそれぞれ耳骨１１０に当接されるとき、空洞５２８内の空気を隙間５２７から排出するように押出する。従って、該イヤホンカバー５０は被押出状況（つまり、ユーザーの耳甲介腔の縦方向距離の長さ）に応じて変形することによりその形状を調整することができる。従って、該イヤホンカバー５０が複数のユーザーに適用できる。
【００２６】
なお、形成された少なくとも３つの係止点によって、前記イヤホンカバー５０はイヤホン１を耳骨１１０に締め付けることにより、イヤホン１を脱落しにくくすることができる。なお、更にイヤホン１を耳１００にぴったりとくっつけ、音が漏れる可能性も大幅に低下させる。
【００２７】
図８は本発明の第２具体的な実施例のイヤホンカバー５０の模式図である。該第２実施形態では、前記イヤホンカバー５０の固定部５２が中実の構造であり、前記套設部５１が前記固定部５２を通り抜けた円形貫通孔である。つまり、前記套設部５１の前側５２３に位置する孔径が套設部５１の後側５２４に位置する孔径より大きい。
【００２８】
本実施形態に係るイヤホンカバーはその平滑な表面によって耳腔にぴったりとくっつけるだけでなく、更に耳軟骨との接触点も多く、従って圧力均一化作用を実現し、耳軟骨を傷つけることがない。
【００２９】
図９は本発明の第３の具体的な実施例によるイヤホンカバー５０の模式図である。該第３実施形態では、前記イヤホンカバー５０の固定部５２に更に少なくとも１つの貫通孔５２９が設置される。前記貫通孔５２９は三日月形を呈する。具体的に、前記貫通孔５２９が前記固定部５２の第１端部５２１及び第２端部５２２に開設される。
【００３０】
図１０は第３実施例のイヤホン１の使用状態の模式図である。該イヤホンカバー５０が耳骨１１０に当接されるとき、前記第１端部５２１及び第２端部５２２が耳骨に押出されることにより両端部に位置する貫通孔５２９を変形させる。従って、第１端部５２１及び第２端部５２２が耳骨に大きすぎる圧力を与えることがない。それにより耳の耳骨を傷つけずに、イヤホン１を耳内に固定することができる。
【００３１】
本実施形態に係るイヤホンカバーが圧力を受けると変形して、変形によってイヤホンカバーの伸縮を実現する。従って、該イヤホンカバーはイヤホンが使用中に耳腔に与える圧力を軽減することができる。
【００３２】
以上の説明は本発明の好適な実施例であって、本発明を制限するためのものではなく、本発明の趣旨及び原則を逸脱せずに行ったいかなる修正、等価置換及び改良等は、いずれも本発明の保護範囲内に含まれるべきである。
【符号の説明】
【００３３】
１  イヤホン
１０  イヤーキャップ
２０  フロントハウジング
３０  リアハウジング
５０  イヤホンカバー
５１  套設部
５２  固定部
５２１  第１端部
５２２  第２端部
５２３  前側
５２４  後側
５２５  頂部
５２６  底部
５２７  隙間
５２８  空洞
５２９  貫通孔
１００  耳
１１０  耳骨
１１１  耳珠
１１２  対珠
【図１】
2019522446.tif 000003
【図２】
2019522446.tif 000004
【図３】
2019522446.tif 000005
【図４】
2019522446.tif 000006
【図５】
2019522446.tif 000007
【図６】
2019522446.tif 000008
【図７】
2019522446.tif 000009
【図８】
2019522446.tif 000010
【図９】
2019522446.tif 000011
【図１０】
2019522446.tif 000012
【国際調査報告】
2019522446.tif 000013
2019522446.tif 000014
2019522446.tif 000015
2019522446.tif 000016